(57)【要約】【課題】フレキシブル基板面内の配線方向と交差する方向における正方向へ変位させる力と負方向へ変位させる力をほぼ等しくすることができるフレキシブル基板及び撮像装置を得る。【解決手段】フレキシブル基板３０は、基材８１が可撓性を有しており、長穴８４があることによって、フレキシブル基板３０面内の配線方向（Ｘ）と、配線方向と交差する方向（Ｙ）の２方向に変位可能となっている。また、裏側には、長穴８４の両側にシールド部材９４、９６が設けられており、フレキシブル基板３０の剛性が高くなっている。ここで、シールド部材９４、９６によって、長穴８４の両側でフレキシブル基板３０の剛性がほぼ等しくなっているので、フレキシブル基板３０面内のＹ方向へ変位させる力を、正方向と負方向でほぼ等しくすることができる。【選択図】図３
2009010259.tif 000002
【特許請求の範囲】
【請求項１】
可撓性を有する基材と、
前記基材に設けられた配線と、
前記配線の配線方向に沿って前記基材に形成された長穴部と、
を有し、
前記配線の配線方向と交差する折り線で複数回折り曲げられて面内方向に変位可能とされるフレキシブル基板において、
前記基材における前記配線の裏側で、且つ前記長穴部の両側に、前記配線をシールドするシールド部材を設けたことを特徴とするフレキシブル基板。
【請求項２】
前記シールド部材の面形状が、前記長穴部の両側で対称であることを特徴とする請求項１に記載のフレキシブル基板。
【請求項３】
前記シールド部材が、前記長穴部側に寄せて配置されていることを特徴とする請求項１又は請求項２に記載のフレキシブル基板。
【請求項４】
請求項１から請求項３のいずれか１項に記載のフレキシブル基板と、
前記フレキシブル基板の配線が接続された撮像素子と、
前記フレキシブル基板の配線が接続され前記撮像素子を駆動する駆動回路と、
を有することを特徴とする撮像装置。
【発明の詳細な説明】
【技術分野】
【０００１】
本発明は、フレキシブル基板及び撮像装置に関する。
【背景技術】
【０００２】
デジタルカメラ、時計、ノートパソコン、プリンタ等の各種電子機器にプリント基板が用いられている。プリント基板は、硬質のリジット基板と、可撓性を有するフレキシブル基板の２種類あるが、プリント基板の設置の自由度を増やしたい場合は、可撓性を有するフレキシブル基板が用いられている。
【０００３】
ここで、フレキシブル基板の利用例として、デジタルカメラの手振れ補正機構にフレキシブル基板を用いたものがある（例えば、特許文献１参照）。
【０００４】
特許文献１のフレキシブル基板は、配線と同方向に切り込みが形成されており、この切り込みによって、撮像素子が移動する際のフレキシブル基板による負荷抵抗を軽減している。
【特許文献１】特開２００７−４３１２９号公報
【発明の開示】
【発明が解決しようとする課題】
【０００５】
しかし、特許文献１のフレキシブル基板は、配線のノイズをシールドするシールド部材については開示されていない。
【０００６】
本発明は、フレキシブル基板面内の配線方向と交差する方向における正方向へ変位させる力と負方向へ変位させる力をほぼ等しくすることができるフレキシブル基板及び撮像装置を得ることを目的とする。
【課題を解決するための手段】
【０００７】
本発明の請求項１に係るフレキシブル基板は、可撓性を有する基材と、前記基材に設けられた配線と、前記配線の配線方向に沿って前記基材に形成された長穴部と、を有し、前記配線の配線方向と交差する折り線で複数回折り曲げられて面内方向に変位可能とされるフレキシブル基板において、前記基材における前記配線の裏側で、且つ前記長穴部の両側に、前記配線をシールドするシールド部材を設けたことを特徴としている。
【０００８】
上記構成によれば、フレキシブル基板は、基材が可撓性を有しており、長穴部があることによって、フレキシブル基板面内の配線方向と、配線方向と交差する方向の２方向に変位可能となっている。また、裏側には、配線のノイズを低減するためのシールド部材が設けられているため、フレキシブル基板の剛性が高くなっている。
【０００９】
ここで、配線と対応する領域にのみシールド部材を設けると、長穴部の片側にだけシールド部材が設けられることがあり、フレキシブル基板面内の配線方向と交差する方向へ変位させる力が、正方向と負方向で異なる。
【００１０】
本発明では、長穴部の両側にシールド部材を設けているので、長穴部の両側でフレキシブル基板の剛性がほぼ等しくなり、フレキシブル基板面内の配線方向と交差する方向へ変位させる力を、正方向と負方向でほぼ等しくすることができる。
【００１１】
本発明の請求項２に係るフレキシブル基板は、前記シールド部材の面形状が、前記長穴部の両側で対称であることを特徴としている。
【００１２】
上記構成によれば、シールド部材の面形状が、長穴部の両側で対称であるため、剛性の高いシールド部材がフレキシブル基板を覆う面積が、長穴部の両側で均等になる。これにより、フレキシブル基板面内の配線方向と交差する方向へ変位させる力を、正方向と負方向でほぼ等しくすることができる。
【００１３】
本発明の請求項３に係るフレキシブル基板は、前記シールド部材が、前記長穴部側に寄せて配置されていることを特徴としている。
【００１４】
上記構成によれば、シールド部材が長穴部に寄せて配置されているため、フレキシブル基板の外縁部の剛性が中央部より低くなる。これにより、フレキシブル基板面内の配線方向と交差する方向へ変位させるのに必要な力を低減することができる。
【００１５】
本発明の請求項４に係る撮像装置は、請求項１から請求項３のいずれか１項に記載のフレキシブル基板と、前記フレキシブル基板の配線が接続された撮像素子と、前記フレキシブル基板の配線が接続され前記撮像素子を駆動する駆動回路と、を有することを特徴とする撮像装置。
【００１６】
上記構成によれば、請求項１から請求項３のいずれか１項に記載のフレキシブル基板を用いることで、撮像素子を移動させる方向によってフレキシブル基板から受ける反力が変動するのを抑えられる。これにより、撮像素子を移動させて撮像の修正を行う手ぶれ防止機能が、手ぶれの方向によって変わらない。
【発明の効果】
【００１７】
本発明は、上記構成としたので、フレキシブル基板面内の配線方向へ変位させる力と、配線方向と交差する方向へ変位させる力をほぼ等しくすることができる。
【発明を実施するための最良の形態】
【００１８】
本発明のフレキシブル基板及び撮像装置の第１実施形態を図面に基づき説明する。
【００１９】
図１は、本実施形態における撮像装置としてのデジタルカメラ１０が示されている。
【００２０】
デジタルカメラ１０は、デジタルカメラ１０の本体を構成する前カバー１２及び後カバー１４を有している。
【００２１】
前カバー１２は、被写体の画像を結像するためのレンズ１６が挿通される開口部１８が形成されている。前カバー１２の内側には、デジタルカメラ１０の各部に電源を供給する電源部２０と、撮影時に必要に応じて発光されるフラッシュ装置２２と、撮影動作を開始するスイッチボタン２４と、が設けられている。
【００２２】
一方、後カバー１４の内側には、レンズ１６から入射された光を受光し、撮像データに変換するＣＣＤ素子３６を有する撮像モジュール２６が設けられている。撮像モジュール２６の内部には、所定の回路パターンが形成され、ＣＣＤ素子３６が実装されたフレキシブル基板３０が配置されている。また、撮像モジュール２６の一方の側面（紙面左側）からは、フレキシブル基板３０の自由端部８０（図３参照）が突出されている。
【００２３】
フレキシブル基板３０の自由端部８０の先端側に設けられた接続端子部８２（図３参照）は、所定の回路パターンが形成され撮像モジュール２６を駆動する駆動回路２８に設けられた上接点タイプのコネクタ２９に接続されている。これにより、撮像モジュール２６及び駆動回路２８が電気的に接続されている。また、撮像モジュール２６におけるＣＣＤ素子３６の前面側には、前述のレンズ１６が配置されている。
【００２４】
駆動回路２８は、所定の回路パターンが形成されたリジット基板３８上に、ＩＣ等からなるプログラムユニット４０が設けられている。
【００２５】
プログラムユニット４０は、前述のスイッチボタン２４が押されると、図示しないオートフォーカス機構を駆動してレンズ１６を焦点方向に移動させるとともに、ＣＣＤ素子３６を動作させて画像データを取り込み、図示しないＳＤカード等の記憶手段に画像データを記憶させるようになっている。
【００２６】
図２ａ及び図２ｂに示すように、撮像モジュール２６は、フレキシブル基板３０と、フレキシブル基板３０が固定され矢印Ｘ方向に変位可能な第１ステージ３２と、第１ステージ３２が内側に取り付けられ矢印Ｙ方向に変位可能な第２ステージ３４と、で構成されている。
【００２７】
第１ステージ３２は、フレキシブル基板３０におけるＣＣＤ素子３６の実装部３７が載置され、実装部３７の裏面側（ＣＣＤ素子３６と反対側）が接着等により固定される載置部４２が形成されている。載置部４２を囲むようにして立設された第１ステージ３２の側壁４４のうち、下方側に配置された側壁４４の外面には、外形が略コの字形状で凹部４７を有する係合部４６が一体成型により形成されている。
【００２８】
また、側壁４４のうち、駆動回路２８と対向する部分には、フレキシブル基板３０の幅と略等しい幅の切欠部４８が形成されている。そして、フレキシブル基板３０の自由端部８０（図３参照）が、切欠部４８から引き出されるようになっている。なお、フレキシブル基板３０の自由端部８０は、山折り線Ａ、Ｃと、谷折り線Ｂで折り曲げられている。
【００２９】
第２ステージ３４は、第１ステージ３２を内側に収容する収容部５０が形成されている。収容部５０の底面上には、前述の駆動回路２８によって矢印Ｘ方向に駆動される第１アクチュエータ部５２が設けられている。
【００３０】
第１アクチュエータ部５２は、駆動回路２８によって通電される圧電素子（図示せず）が設けられた駆動部５４と、収容部５０の底面上に立設された平板状の支持部５５との間に架設され、駆動部５４の圧電素子の変位によって矢印Ｘ方向（正方向、負方向）に変位されるシャフト部５６とを有している。シャフト部５６は、収容部５０の底面と略平行に配置されている。
【００３１】
また、シャフト部５６は、外径の大きさが、前述の係合部４６の凹部４７の内形の大きさと略等しくなっており、シャフト部５６の軸方向と交差する方向に、図示しない溝部が形成されている。
【００３２】
ここで、第１ステージ３２が収容部５０に収容され、凹部４７がシャフト部５６の溝部と係合されることにより、係合部４６とシャフト部５６が一体で変位可能となり、第１ステージ３２が第２ステージ３４に対して、矢印Ｘ方向（正、負）に変位可能となっている。なお、収容された第１ステージ３２の上側の側壁４４には、収容部５０に形成された図示しない略Ｌ字形状のガイドレール部が接触しており、第１ステージ３２を略鉛直方向に保持している。
【００３３】
また、第２ステージ３４には、ＣＣＤ素子３６の表面が露出され、前述のレンズ１６（図１参照）と対向するように、開口部５８が形成されている。さらに、第２ステージ３４の右側の側壁６０の外面には、外形が略コの字形状で凹部６２を有する係合部６４が一体成型により形成されている。
【００３４】
一方、図２ａに示すように、後カバー１４の内壁面上には、前述の駆動回路２８によって矢印Ｙ方向に駆動される第２アクチュエータ部６６が設けられている。
【００３５】
第２アクチュエータ部６６は、駆動回路２８によって通電される圧電素子（図示せず）が設けられた駆動部６８と、後カバー１４の内壁面上に立設された平板状の支持部７０との間に架設され、駆動部６８の圧電素子の変位によって矢印Ｙ方向（正方向、負方向）に変位されるシャフト部７２とを有している。シャフト部７２は、後カバー１４の内壁面と略平行に配置されている。
【００３６】
また、シャフト部７２は、外径の大きさが、前述の係合部６４の凹部６２の内形の大きさと略等しくなっており、シャフト部７２の軸方向と交差する方向に、図示しない溝部が形成されている。
【００３７】
ここで、第２ステージ３４が、第１ステージ３２及びフレキシブル基板３０を収容した状態で、凹部６２がシャフト部７２の溝部と係合されることにより、係合部６４とシャフト部７２が一体で変位可能となり、第２ステージ３４が、後カバー１４の内壁面に対して矢印Ｙ方向（正、負）に変位可能となっている。
【００３８】
なお、第２ステージ３４の左側の側壁７４には、後カバー１４の内壁面に形成された図示しない略Ｌ字形状のガイドレール部が接触しており、第２ステージ３４を略鉛直方向に保持している。
【００３９】
一方、図１において、駆動回路２８には図示しない加速度センサが設けられており、撮影者の手振れによって、デジタルカメラ１０の光軸が矢印Ｘ、Ｙ方向にぶれたとき、矢印Ｘ、Ｙ方向の本来の光軸からのずれ量を検出するようになっている。
【００４０】
駆動回路２８は、この検出されたＸ、Ｙ方向のずれ量に応じて、第１アクチュエータ部５２及び第２アクチュエータ部６６を駆動して、第１ステージ３２及び第２ステージ３４をＸ、Ｙ方向へ変位させる。これにより、ＣＣＤ素子３６が、Ｘ、Ｙ方向に変位して、デジタルカメラ１０の手振れ補正が行なわれるようになっている。
【００４１】
次に、フレキシブル基板３０について説明する。
【００４２】
図３ａは、フレキシブル基板３０を表面側から見た状態を示しており、図３ｂは、裏面側から見た状態を示している。また、図３ｃは、フレキシブル基板３０の自由端部８０（実装部３７を除く領域）における配線方向と直交する面内の断面図を示している。
【００４３】
図３ａ及び図３ｂに示すように、フレキシブル基板３０は、ＣＣＤ素子３６が実装された実装部３７と、実装部３７の一方の外縁部から外方向へ延設された自由端部８０の２つの領域で構成されている。
【００４４】
自由端部８０の先端側には、駆動回路２８（図１参照）のコネクタ２９に接続される各端子が露出した接続端子部８２が設けられている。また、自由端部８０の略中央部には、抜き加工によって、フレキシブル基板３０の配線方向に沿って表面から裏面に貫通した長穴８４が形成されている。長穴８４の両端部は、Ｒ形状となっており、クラックが入りにくくしてある。
【００４５】
自由端部８０は、Ｙ方向の折り線Ａ、Ｂ、Ｃにおいて折り曲げられている。これにより、自由端部８０は、矢印Ｘ方向へ伸縮可能となっている。
【００４６】
図３ａ及び図３ｃに示すように、フレキシブル基板３０は、ポリイミドフィルム、あるいは、ＰＥＴフィルム等の樹脂からなるベースフィルム８１を基材としている。
【００４７】
ベースフィルム８１の一方の面（下面）には、銅箔からなる配線としての信号ライン９２が形成されている。信号ライン９２の表面（下面）には、ポリイミドフィルムからなるカバーレイ８５が載置され、加熱及び圧着処理されて信号ライン９２を覆っている。信号ライン９２は、ＣＣＤ素子３６から出力された３０〜４０ＭＨｚの水平信号を、図示しない画像処理部へ伝送させる配線である。
【００４８】
一方、図３ｂ及び図３ｃに示すように、ベースフィルム８１の他方の面（上面）には、信号ライン９２よりも幅広の銅箔からなり、信号ライン９２に対する放射ノイズ及び不要輻射を低減するシールド部材９４が設けられている。シールド部材９４の表面（上面）には、ポリイミドフィルムからなるカバーレイ８５が載置され、加熱及び圧着処理されてシールド部材９４を覆っている。
【００４９】
シールド部材９４は銅箔で構成されているため、ベースフィルム８１、カバーレイ８５よりも剛性が高くなっている。
【００５０】
なお、本発明では、シールド部材とは、信号ラインに対する放射ノイズ及び不要輻射を低減する部材を総称したものである。このため、シールド部材は、シールド部材９４のように、両面に銅箔が用いられたフレキシブル基板の片面の銅箔であってもよく、また、他の金属部材（箔）をフレキシブル基板に設けたものであってもよい。
【００５１】
ここで、シールド部材９４がＧＮＤラインとして接地されることにより、信号ライン９２における放射ノイズの影響及び不要輻射が低減され、高周波信号の伝送が可能となる。
【００５２】
フレキシブル基板３０には、信号ライン９２の他に、ＣＣＤ素子３６に電源供給するための電源ライン９０と、ＣＣＤ３６の制御を行うための複数種類の制御ライン８６、８８が設けられている。信号ライン９２、電源ライン９０、及び制御ライン８６、８８は、ＣＣＤ素子３６の所定の端子（図示せず）に接続されている。
【００５３】
電源ライン９０は、ノイズの影響を除くため、裏面にシールド部材９４と同じ銅箔で、同一形状、面積のシールド部材９６が設けられている。なお、制御ライン８６、８８は、シールド不要としている。
【００５４】
ここで、シールド部材９４及びシールド部材９６は、同一形状、同一面積で、長穴８４の両側（紙面上下方向）に設けられており、長穴８４の中心軸に対して対称配置となっている。
【００５５】
次に、本発明の第１実施形態の作用について説明する。
【００５６】
まず、図４ａに示すように、本発明との比較例として、シールド部材が、長穴の片側にのみ設けられたフレキシブル基板２００の変位について説明する。
【００５７】
フレキシブル基板２００は、ＣＣＤ素子３６が実装され、配線方向（矢印Ｘ方向）に沿って長穴２０４が形成されている。また、フレキシブル基板２００の裏面側で且つ長穴２０４の片側（紙面上側）には、所定の配線をシールドするシールド部材２０２が設けられている。シールド部材２０２は、銅箔で構成されている。
【００５８】
フレキシブル基板２００におけるＣＣＤ素子３６の実装領域は、図示しないアクチュエータが設けられたステージに固定されており、フレキシブル基板２００は、矢印Ｘ、Ｙ方向に変位可能となっている。
【００５９】
また、フレキシブル基板２００の自由端部（ＣＣＤ素子３６の実装部を除く領域）は、配線方向と交差する方向（Ｙ方向）に３箇所折り曲げられている。
【００６０】
ここで、フレキシブル基板２００を、矢印Ｘ方向における正方向（＋）又は負方向（−）へ変位させると、自由端部の折り曲げ箇所が伸縮することにより、ＣＣＤ素子３６に作用する正方向の負荷（Ｆ３）と、負方向の負荷（Ｆ４）は、ほぼ等しくなる。
【００６１】
一方、フレキシブル基板２００を、矢印Ｙ方向における正方向（＋）又は負方向（−）へ変位させると、シールド部材２０２によって、長穴２０４の上側の剛性が下側の剛性よりも高くなっているため、正方向の負荷（Ｆ１）が、負方向の負荷（Ｆ２）よりも大きくなる。
【００６２】
これにより、アクチュエータがＹ方向における正方向及び負方向に等しい推進力でＣＣＤ３６を変位させると、正方向には十分な変位が行えなくなるため、手ぶれ補正がばらつき、必要な画像が得られにくくなる。
【００６３】
一方、図２及び図４ｂに示すように、本発明のフレキシブル基板３０は、駆動回路２８が、第１アクチュエータ５２を駆動し、第１ステージ３２を配線方向である矢印Ｘ方向における正方向（＋）又は負方向（−）へ変位させるとき、自由端部８０の折り曲げ箇所が伸縮することにより、ＣＣＤ素子３６に作用する正方向の負荷（Ｆ３）と、負方向の負荷（Ｆ４）は、ほぼ等しくなる。
【００６４】
また、駆動回路２８が、第２アクチュエータ６６を駆動し、第２ステージ３４を配線方向と交差する方向である矢印Ｙ方向における正方向（＋）又は負方向（−）へ変位させるとき、剛性の高いシールド部材９４、９６の面形状及び配置が、長穴８４の両側で対称となっており、フレキシブル基板３０を覆う面積及び剛性が長穴８４の両側で均等となっているので、矢印Ｙ方向へＣＣＤ素子３６を変位させる力が、正方向（Ｆ１）と負方向（Ｆ２）でほぼ等しくなる。
【００６５】
これにより、デジタルカメラ１０（図１参照）において、ＣＣＤ素子３６を移動させる方向によってフレキシブル基板３０から受ける反力が変動するのを抑えられ、ＣＣＤ素子３６を移動させて撮像の修正を行う手ぶれ防止機能が、手ぶれの方向によって変わるのを抑えることができる。
【００６６】
次に、本発明のフレキシブル基板及び撮像装置の第２実施形態を図面に基づき説明する。なお、前述した第１実施形態と基本的に同一のものには、前記第１実施形態と同一の符号を付与してその説明を省略する。
【００６７】
図５ａは、フレキシブル基板１００を表面側から見た状態を示しており、図５ｂは、裏面側から見た状態を示している。なお、フレキシブル基板１００は、前述のデジタルカメラ１０のフレキシブル基板３０を置き換えたものである。
【００６８】
図５ａ及び図５ｂに示すように、フレキシブル基板１００は、ＣＣＤ素子３６が実装された実装部１０２と、実装部１０２の一方の外縁部から外方向へ延設された自由端部１０４の２つの領域で構成されている。
【００６９】
自由端部１０４の先端側には、駆動回路２８（図１参照）のコネクタ２９に接続される各端子が露出した接続端子部１０６が設けられている。また、自由端部１０４の略中央部には、抜き加工によって、フレキシブル基板１００の配線方向に沿って表面から裏面に貫通した長穴１０８が形成されている。長穴１０８の両端は、Ｒ形状となっており、クラックが入りにくくしてある。
【００７０】
フレキシブル基板１００は、ポリイミドフィルム、あるいは、ＰＥＴフィルム等の樹脂からなるベースフィルム（図示せず）を基材としている。
【００７１】
ベースフィルムの一方の面には、銅箔が貼り付けられエッチング加工されることによって、導体層からなる配線である複数の信号ライン１１４が形成されている。信号ライン１１４は、ＣＣＤ素子３６から出力された３０〜４０ＭＨｚの水平信号を、図示しない画像処理部へ伝送させる配線である。
【００７２】
また、フレキシブル基板１００には、信号ライン１１４と同様にして、ＣＣＤ素子３６に電源供給するための電源ラインと、ＣＣＤ３６の制御を行うための制御ラインの一部とからなる電源制御ライン１１６が設けられている。信号ライン１１４と電源制御ライン１１６は、長穴１０８に寄せて配置されている。
【００７３】
信号ライン１１４及び電源制御ライン１１６の外側（フレキシブル基板１００の外縁側）には、信号ライン１１４及び電源制御ライン１１６と同様の方法で、残りの制御ライン１１０、１１２が設けられている。信号ライン１１４、電源制御ライン１１６及び制御ライン１１０、１１２は、ＣＣＤ素子３６の所定の端子（図示せず）に接続されている。
【００７４】
一方、フレキシブル基板１００の裏面側には、信号ライン１１４及び電源制御ライン１１６よりも幅広の銅箔からなり、信号ライン１１４及び電源制御ライン１１６に対する放射ノイズ及び不要輻射を低減するシールド部材１１８、１２０が設けられている。各配線及びシールド部材１１８、１２０は、前述のカバーレイ８５（図３ｃ参照）によって覆われている。
【００７５】
ここで、シールド材１１８、１２０がＧＮＤラインとして接地されることにより、信号ライン１１４及び電源制御ライン１１６における放射ノイズの影響及び不要輻射が低減され、高周波信号の伝送が可能となっている。
【００７６】
フレキシブル基板１００における実装部１０２は、図示しないアクチュエータが設けられ、独立してＸ、Ｙの２方向へ変位可能なステージに固定されており、フレキシブル基板１００は、矢印Ｘ、Ｙ方向に変位可能となっている。
【００７７】
また、フレキシブル基板１００の自由端部１０４は、Ｙ方向の折り線Ａ、Ｂ、Ｃにおいて折り曲げられている。
【００７８】
次に、本発明の第２実施形態の作用について説明する。
【００７９】
図２及び図５に示すように、フレキシブル基板１００は、駆動回路２８が、第１アクチュエータ５２を駆動し、第１ステージ３２を配線方向である矢印Ｘ方向における正方向又は負方向へ変位させるとき、自由端部１０４の折り曲げ箇所が伸縮することにより、ＣＣＤ素子３６に作用する正方向の負荷と、負方向の負荷は、ほぼ等しくなる。
【００８０】
また、駆動回路２８が、第２アクチュエータ６６を駆動し、第２ステージ３４を配線方向と交差する方向である矢印Ｙ方向における正方向又は負方向へ変位させるとき、剛性の高いシールド部材１１８、１２０の面形状及び配置が、長穴１０８の両側で対称となっており、フレキシブル基板１００を覆う面積及び剛性が長穴１０８の両側で均等となっているので、矢印Ｙ方向へＣＣＤ素子３６を変位させる力が、正方向と負方向でほぼ等しくなる。
【００８１】
これにより、デジタルカメラ１０（図１参照）において、ＣＣＤ素子３６を移動させる方向によってフレキシブル基板１００から受ける反力が変動するのを抑えられ、ＣＣＤ素子３６を移動させて撮像の修正を行う手ぶれ防止機能が、手ぶれの方向によって変わるのを抑えることができる。
【００８２】
さらに、シールド部材１１８、１２０が長穴１０８に寄せて配置されているため、フレキシブル基板１００の外縁部の剛性が中央部より低くなる。これにより、フレキシブル基板１００面内のＹ方向へ変位させるのに必要な力を低減することができる。
【００８３】
なお、本発明は上記の実施形態に限定されない。
【００８４】
例えば、フレキシブル基板３０、１００の他の実施例として、図６ａ〜図６ｃに示すフレキシブル基板１３０、１５０、及び１７０についても、同様の効果を得ることができる。
【００８５】
図６ａに示すように、フレキシブル基板１３０は、ＣＣＤ素子３６が実装された実装部１３２と、実装部１３２の一方の外縁部から外方向へ延設された自由端部１３４の２つの領域で構成されている。
【００８６】
自由端部１３４の先端側には、駆動回路２８（図１参照）のコネクタ２９に接続される各端子が露出した接続端子部１３６が設けられている。また、自由端部１３４の略中央部には、抜き加工によって、フレキシブル基板１３０の配線方向に沿って表面から裏面に貫通した長穴１３８が形成されている。
【００８７】
フレキシブル基板１３０の表面には、信号ライン１４０、電源ライン１４２、及び複数の制御ライン１４４、１４５が形成されている。
【００８８】
一方、フレキシブル基板１３０の裏面の外縁側には、信号ライン１４０及び電源ライン１４２に対する放射ノイズ及び不要輻射を低減するシールド部材１４６、１４８が設けられている。
【００８９】
ここで、シールド部材１４６の面積が、シールド部材１４８の面積よりも少し小さく、例えば、０．９倍程度に設定されていても、フレキシブル基板１３０の外縁部を高い剛性で支持するため、Ｙ方向における正、負方向の変位がほぼ均等になる。
【００９０】
図６ｂに示すように、フレキシブル基板１５０は、ＣＣＤ素子３６が実装された実装部１５２と、実装部１５２の一方の外縁部から外方向へ延設された自由端部１５４の２つの領域で構成されている。
【００９１】
自由端部１５４の先端側には、駆動回路２８（図１参照）のコネクタ２９に接続される各端子が露出した接続端子部１５６が設けられている。また、自由端部１５４の略中央部には、抜き加工によって、フレキシブル基板１５０の配線方向に沿って表面から裏面に貫通した２つの長穴１５８、１５９が形成されている。
【００９２】
フレキシブル基板１５０の表面には、信号ライン１６０、電源ライン１６２、及び制御ライン１６１が形成されている。
【００９３】
一方、フレキシブル基板１５０の裏面には、信号ライン１６０、電源ライン１６２、及び制御ライン１６１に対する放射ノイズ及び不要輻射を低減するシールド部材１６４、１６６、及び１６８が設けられている。
【００９４】
ここで、シールド部材１６６を中心として、シールド部材１６４、シールド部材１６８が対称配置となっているため、Ｙ方向における正、負方向の変位がほぼ均等になる。
【００９５】
図６ｃに示すように、フレキシブル基板１７０は、ＣＣＤ素子３６が実装された実装部１７２と、実装部１７２の一方の外縁部から外方向へ延設された自由端部１７４の２つの領域で構成されている。
【００９６】
自由端部１７４の先端側には、駆動回路２８（図１参照）のコネクタ２９に接続される各端子が露出した接続端子部１７６が設けられている。また、自由端部１７４の略中央部には、抜き加工によって、フレキシブル基板１７０の配線方向に沿って表面から裏面に貫通した２つの長穴１７７、１７９が形成されている。
【００９７】
長穴１７７、１７９は、折り線Ａ、Ｂ、Ｃに対応する箇所に、略円形の節部１７８、１８０が形成されており、折り曲げが容易となっている。
【００９８】
フレキシブル基板１７０の表面には、信号ライン１８２、電源ライン１８４、及び制御ライン１８６が形成されている。
【００９９】
一方、フレキシブル基板１７０の裏面には、信号ライン１８２及び電源ライン１８４に対する放射ノイズ及び不要輻射を低減するシールド部材１８８及び１９０が設けられている。
【０１００】
ここで、制御ライン１８６を中心として、シールド部材１８８、１９０が対称配置となっているため、Ｙ方向における正、負方向の変位がほぼ均等になる。
【０１０１】
なお、フレキシブル基板に形成される長穴の数は、単数、複数のいずれであってもよい。さらに、ＣＣＤ素子３６以外に、ＣＭＯＳ型の撮像素子を用いてもよく、他の撮像素子を用いてもよい。
【０１０２】
また、シールド部材は、長穴の領域を除いて、フレキシブル基板の自由端部又は可撓部の前面を覆うものであってもよい。
【図面の簡単な説明】
【０１０３】
【図１】本発明の第１実施形態に係るデジタルカメラの分解図である。
【図２】本発明の第１実施形態に係る撮像モジュールの斜視図及び分解図である。
【図３】本発明の第１実施形態に係るフレキシブル基板の模式図である。
【図４】（ａ）比較例のフレキシブル基板に作用する負荷状態を示した模式図ある。（ｂ）本発明の第１実施形態に係るフレキシブル基板に作用する負荷状態を示した模式図である。
【図５】本発明の第２実施形態に係るフレキシブル基板の模式図である。
【図６】本発明のフレキシブル基板の他の実施例を示した模式図である。
【符号の説明】
【０１０４】
１０  デジタルカメラ（撮像装置）
２８  駆動回路（駆動回路）
３０  フレキシブル基板（フレキシブル基板）
３６  ＣＣＤ素子（撮像素子）
８１  ベースフィルム（基材）
８４  長穴（長穴部）
９０  電源ライン（配線）
９２  信号ライン（配線）
９４  シールド部材（シールド部材）
９６  シールド部材（シールド部材）
１００  フレキシブル基板（フレキシブル基板）
１０８  長穴（長穴部）
１１４  信号ライン（配線）
１１６  電源制御ライン（配線）
１１８  シールド部材（シールド部材）
１２０  シールド部材（シールド部材）
１３０  フレキシブル基板（フレキシブル基板）
１５０  フレキシブル基板（フレキシブル基板）
１７０  フレキシブル基板（フレキシブル基板）
【図１】
2009010259.tif 000003
【図２】
2009010259.tif 000004
【図３】
2009010259.tif 000005
【図４】
2009010259.tif 000006
【図５】
2009010259.tif 000007
【図６】
2009010259.tif 000008